(57)【要約】【課題】  正常な状態であるにもかかわらず、異常な処理がなされることを防止すること。【解決手段】  監視カメラ１は、トリガ信号の入力に応答して所定の処理を行う制御装置２０を備えている。制御装置２０は、カメラユニット１０から連続的な画像を逐次入力するように構成され、動体検知部３１において画像の変化を検出することで動体検知を行うようになっている。トリガ信号入力部２３に検知センサ１００からのトリガ信号が入力されてから所定時間内に、動体検知部３１において画像の変化が検出されなかった場合、制御装置２０はトリガ信号入力部２３に入力したトリガ信号を有効なものと判定する。そして有効なトリガ信号が検知された場合に限り、処理の処理が行われる。【選択図】        図１
2005056224.tif 000002
【特許請求の範囲】
【請求項１】
トリガ信号の入力に応答して所定の処理を行う制御装置であって、
トリガ信号を入力する信号入力手段と、
連続的な画像を入力する画像入力手段と、
前記画像入力手段から得られる連続的な画像を分析することによって画像の変化を検出する検出手段と、
前記信号入力手段に前記トリガ信号が入力されてから所定時間内に、前記検出手段において画像の変化が検出されなかった場合、前記トリガ信号を有効なものと判定する判定手段と、
を備える制御装置。
【請求項２】
請求項１記載の制御装置において、
前記信号入力手段には、外部センサが接続されることを特徴とする制御装置。
【請求項３】
請求項１又は２記載の制御装置において、
連続的な画像を記録する記録手段と、
前記判定手段によって前記トリガ信号が有効なものと判定された場合に、前記記録手段に対して前記画像入力手段から得られる連続的な画像を記録させる制御手段と、
をさらに備える制御装置。
【請求項４】
請求項１又は２記載の制御装置において、
前記判定手段によって前記トリガ信号が有効なものと判定された場合に、外部機器を動作させるための信号を送出する制御手段、
をさらに備える制御装置。
【請求項５】
請求項１又は２記載の制御装置において、
音データを記憶する記憶手段と、
前記判定手段によって前記トリガ信号が有効なものと判定された場合に、前記記憶手段に記憶された音データに基づいて音を発生させる制御手段と、
をさらに備える制御装置。
【請求項６】
請求項１又は２記載の制御装置において、
外部機器とのデータ通信を行う通信手段と、
前記判定手段によって前記トリガ信号が有効なものと判定された場合、その旨を前記通信手段を介して前記外部機器に送信させる制御手段と、
をさらに備える制御装置。
【請求項７】
請求項３乃至６のいずれか記載の制御装置において、
前記制御手段は、前記トリガ信号が有効なものと判定されなかった場合、有効なものと判定された場合とは異なる処理を行うことを特徴とする制御装置。
【請求項８】
トリガ信号及び連続的な画像を入力するように構成されたコンピュータによって実行されることにより、前記コンピュータを、
入力する連続的な画像を分析することによって画像の変化を検出する検出手段、及び、
前記トリガ信号が入力されてから所定時間内に、前記検出手段において画像の変化が検出されなかった場合、前記トリガ信号を有効なものと判定する判定手段、
として機能させることを特徴とするプログラム。
【請求項９】
トリガ信号の入力に応答して所定の処理を行う制御方法であって、
(a) トリガ信号を入力する工程と、
(b) 連続的な画像を入力する工程と、
(c) 前記(b)工程で得られる連続的な画像を分析することによって画像の変化を検出する工程と、
(d) 前記トリガ信号が入力されてから所定時間内に、前記(c)工程において画像の変化が検出されなかった場合、前記トリガ信号を有効なものと判定する工程と、
を有する制御方法。
【発明の詳細な説明】
【技術分野】
【０００１】
本発明は、トリガ信号の入力に応答して所定の処理を行う制御技術に関するものである。
【背景技術】
【０００２】
従来、監視領域内への侵入を検知する検知装置は、例えば、侵入検知センサと監視カメラとスピーカとを備え、侵入検知センサが侵入を検知して発生させるトリガ信号に応答して、監視カメラが侵入位置付近の画像の記録撮影を行うとともに、スピーカから警告音声等が発せられるものが存在する（例えば、特許文献１）。この種の検知装置では、侵入検知センサが侵入を検知したときには、無条件に異常であると判断して所定の動作（記録撮影や警告等）が行われる。
【０００３】
【特許文献１】特開２００３−４４９６５号公報
【発明の開示】
【発明が解決しようとする課題】
【０００４】
しかしながら、従来の装置では、検知センサに検知されると、全て異常と判断されてしまうため、例えば一般的な出入り口やドア等に検知センサが取り付けられている場合、異常な侵入者でなく、正常な通行者であっても警告音声が発せられるなどといった問題が発生する。
【０００５】
そこで、本発明は、上記課題に鑑みてなされたものであって、正常な状態であるにもかかわらず、異常な処理がなされることを防止することのできる制御装置を提供することを目的とするものである。
【課題を解決するための手段】
【０００６】
上記目的を達成するために、請求項１に記載の発明は、トリガ信号の入力に応答して所定の処理を行う制御装置であって、トリガ信号を入力する信号入力手段と、連続的な画像を入力する画像入力手段と、前記画像入力手段から得られる連続的な画像を分析することによって画像の変化を検出する検出手段と、前記信号入力手段に前記トリガ信号が入力されてから所定時間内に、前記検出手段において画像の変化が検出されなかった場合、前記トリガ信号を有効なものと判定する判定手段と、を備えるものである。
【０００７】
請求項２に記載の発明は、請求項１記載の制御装置において、前記信号入力手段には、外部センサが接続されることを特徴とするものである。
【０００８】
請求項３に記載の発明は、請求項１又は２記載の制御装置において、連続的な画像を記録する記録手段と、前記判定手段によって前記トリガ信号が有効なものと判定された場合に、前記記録手段に対して前記画像入力手段から得られる連続的な画像を記録させる制御手段と、をさらに備えるものである。
【０００９】
請求項４に記載の発明は、請求項１又は２記載の制御装置において、前記判定手段によって前記トリガ信号が有効なものと判定された場合に、外部機器を動作させるための信号を送出する制御手段、をさらに備えるものである。
【００１０】
請求項５に記載の発明は、請求項１又は２記載の制御装置において、音データを記憶する記憶手段と、前記判定手段によって前記トリガ信号が有効なものと判定された場合に、前記記憶手段に記憶された音データに基づいて音を発生させる制御手段と、をさらに備えるものである。
【００１１】
請求項６に記載の発明は、請求項１又は２記載の制御装置において、外部機器とのデータ通信を行う通信手段と、前記判定手段によって前記トリガ信号が有効なものと判定された場合、その旨を前記通信手段を介して前記外部機器に送信させる制御手段と、をさらに備えるものである。
【００１２】
請求項７に記載の発明は、請求項３乃至６のいずれか記載の制御装置において、前記制御手段が、前記トリガ信号が有効なものと判定されなかった場合、有効なものと判定された場合とは異なる処理を行うことを特徴とするものである。
【００１３】
請求項８に記載の発明は、プログラムであって、トリガ信号及び連続的な画像を入力するように構成されたコンピュータによって実行されることにより、前記コンピュータを、入力する連続的な画像を分析することによって画像の変化を検出する検出手段、及び、前記トリガ信号が入力されてから所定時間内に、前記検出手段において画像の変化が検出されなかった場合、前記トリガ信号を有効なものと判定する判定手段、として機能させることを特徴とするものである。
【００１４】
請求項９に記載の発明は、トリガ信号の入力に応答して所定の処理を行う制御方法であって、(a) トリガ信号を入力する工程と、(b) 連続的な画像を入力する工程と、(c) 前記(b)工程で得られる連続的な画像を分析することによって画像の変化を検出する工程と、(d) 前記トリガ信号が入力されてから所定時間内に、前記(c)工程において画像の変化が検出されなかった場合、前記トリガ信号を有効なものと判定する工程と、を有するものである。
【発明の効果】
【００１５】
請求項１、８及び９に記載の発明によれば、信号入力手段にトリガ信号が入力されてから所定時間内に、検出手段において画像の変化が検出されなかった場合、トリガ信号を有効なものと判定するので、トリガ信号の入力に応答して常に所定の処理が行われることを防止できる。それ故、正常な状態であるにもかかわらず、異常な処理がなされることを防止できる。
【００１６】
請求項２に記載の発明によれば、信号入力手段には、外部センサが接続されるので、外部センサから入力するトリガ信号が有効であるかを判定できる。
【００１７】
請求項３に記載の発明によれば、トリガ信号が有効なものと判定された場合に、記録手段に対して画像入力手段から得られる連続的な画像を記録するので、有効なトリガ信号の入力があったときの画像を保存しておくことができる。
【００１８】
請求項４に記載の発明によれば、トリガ信号が有効なものと判定された場合に、外部機器を動作させるための信号を送出するので、有効なトリガ信号の入力があったときの画像を保存しておくことができる。
【００１９】
請求項５に記載の発明によれば、トリガ信号が有効なものと判定された場合に、記憶手段に記憶された音データに基づいて音を発生させるので、有効なトリガ信号を入力したときに音による警告等を行うことができる。
【００２０】
請求項６に記載の発明によれば、トリガ信号が有効なものと判定された場合、その旨を通信手段を介して外部機器に送信させるので、有効なトリガ信号を入力したとき、そのことを遠隔地において認識できる。
【００２１】
請求項７に記載の発明によれば、トリガ信号が有効なものと判定されなかった場合、有効なものと判定された場合とは異なる処理を行うので、トリガ信号が有効であるか否かのそれぞれに応じた処理を行うことができる。
【発明を実施するための最良の形態】
【００２２】
以下、本発明の実施の形態について図面を参照しつつ詳細に説明する。
【００２３】
＜１．第１の実施の形態＞
図１は、第１の実施形態にかかる監視カメラ１の構成を示す図である。監視カメラ１はカメラユニット１０と制御装置２０とを備えて構成されるとともに、外部に設けられる検知センサ１００と照明器具２００とが接続された構成となっている。
【００２４】
検知センサ１００は、所定の監視領域に対する侵入を検知するものであり、監視領域内への侵入物体等を検知した場合にトリガ信号を発生させるものである。例えば、検知センサ１００が出入り口等のドアに対してドアセンサとして取り付けられる場合、マグネットセンサ等が利用され、ドアが開いたときに、内部スイッチがオンになってトリガ信号を発生させるように構成される。
【００２５】
照明器具２００は、侵入者等に対する警告のために監視領域を照明するように配置された照明手段であり、監視カメラ１の制御によって点灯及び消灯が行われるようになっている。
【００２６】
カメラユニット１０は撮影レンズ１１と撮像部１２とカメラ駆動部１３とを備えて構成される。撮影レンズ１１は、焦点距離を変化させることによって撮影倍率を変更するズームレンズを備えており、撮影倍率はカメラ駆動部１３によって調整される。また、カメラユニット１０はパン・チルト機構を有しており、カメラ駆動部１３によってそれらが駆動されることにより、撮像部１２の撮影方向をパン方向及びチルト方向に変更できるようになっている。撮像部１２は、撮影レンズ１１を介して入射する光像を光電変換して電子的な画像を生成するものであり、撮影動作を開始すると画像を連続的に撮影して例えば１秒間に数十フレームの画像を順次出力するものである。
【００２７】
制御装置２０は、ＲＯＭ（Read Only Memory）２１、マイクロコンピュータ２２、トリガ信号入力部２３、外部機器駆動部２４、バッファメモリ２５及び画像記録部２６を備えて構成され、カメラユニット１０の動作制御を行うとともに、検知センサ１００から入力するトリガ信号に応じて所定の処理を行うものである。ＲＯＭ２１にはマイクロコンピュータ２２によって実行されるプログラムが格納されている。そしてマイクロコンピュータ２２が該プログラムを読み出して実行することにより、マイクロコンピュータ２２は動体検知部３１及び制御部３２として機能する。
【００２８】
動体検知部３１は、カメラユニット１０が撮影動作を開始した場合に、連続的な画像を逐次入力し、時系列に連続する画像列の各画像内に動体が存在するか否かを判断する。そして動体が検知された場合には、その結果を制御部３２に与えるように構成される。
【００２９】
動体検知を行う手法については、多くの公知技術が存在し、それらのうちのいずれを採用しても構わない。一例を挙げると、時系列に入力する２つの画像間で画素毎の差分値を求めることによって差分画像を生成し、該差分画像において差分値が所定値以上になる画素が、ある閾値よりも多く含まれている場合に、動体が存在すると判断することができる。
【００３０】
制御部３２は、カメラユニット１０及び画像記録部２６を制御するとともに、動体検知部３１に動体検知処理を開始させる機能を有する。また、制御部３２は信号判定部３３としても機能する。信号判定部３３は、トリガ信号入力部２３を介して検知センサ１００から入力したトリガ信号が有効な信号であるのか、無効な信号であるのかを判定するものであり、動体検知部３１から動体が検知された旨の信号を受け取ることによって、検知センサ１００から入力したトリガ信号が有効であると判定する。
【００３１】
バッファメモリ２５は、カメラユニット１０から出力される連続的な画像を逐次入力し、過去数秒間程度の連続画像（動画像）を記憶しておくものである。例えば、バッファメモリ２５はリングバッファとして構成され、あたらしい画像を入力すると、その時点で最も古い画像を消去することによって、常に最新の複数フレーム分の画像を記憶できるようになっている。
【００３２】
画像記録部２６は制御部３２からの指令によってバッファメモリ２５に格納された連続画像を記録するものであり、バッファメモリ２５よりも記憶容量の大きい半導体メモリ（例えばＲＡＭ、ＥＥＰＲＯＭ等）で構成される。
【００３３】
トリガ信号入力部２３は検知センサ１００に接続され、検知センサ１００からトリガ信号を入力して、制御部３２に与えるものである。また、外部機器駆動部２４は、リレー等のスイッチング機能を備えており、制御部３２からの外部機器起動信号に応答して照明器具２００の点灯及び消灯を行うものである。
【００３４】
以上のような構成の監視カメラ１において制御装置２０は、検知センサ１００からトリガ信号を入力するまで待機状態となる。そのため、カメラユニット１０も撮影動作を行わずに待機状態となっている。よって、監視カメラ１は検知センサ１００からトリガ信号を入力するまでは電力消費量の少ない省電モードとして動作する。
【００３５】
そして検知センサ１００が監視領域内への侵入物体等を検知した場合（例えばドアが開放された場合）、トリガ信号入力部２３を介して制御部３２にトリガ信号が入力し、それによって監視カメラ１の全体が活性化される。制御部３２はカメラユニット１０に対して駆動信号を送出することによって、カメラユニット１０が所定撮影範囲の撮影動作を開始するように制御する。これによって、カメラユニット１０は、例えば検知センサ１００による監視領域又はその周辺領域を撮影するように、パン・チルト・ズーム動作を行うとともに、連続的な画像の撮影を開始し、それによって得られる画像の出力を開始する。
【００３６】
また、それに伴って動体検知部３１が機能し、動体検知部３１はカメラユニット１０から入力する連続的な画像の画像分析を行い、カメラユニット１０から得られる撮影範囲内の画像において動体が検知された場合には、その旨を制御部３２に通知する。
【００３７】
動体検知部３１から動体が検知された旨の通知を受信すると、制御部３２では信号判定部３３が機能し、トリガ信号入力部２３を介して入力したトリガ信号が有効な信号であるのか、無効な信号であるのかを判定する。制御部３２はタイマ機能を有しており、信号判定部３３はそのタイマ機能を利用してトリガ信号の有効／無効を判定する。そしてトリガ信号が有効である場合には、検知センサ１００によって検出された物体が異常な物体であるものとして、警告を発生する処理を実行させる一方、トリガ信号が無効である場合には、検知センサ１００によって検出された物体が異常な物体ではないものとして、警告を発生する処理は行わない。
【００３８】
以下、このような動作の詳細について説明する。図２乃至図４は、本実施形態における監視カメラ１の内部動作を示すフローチャートである。なお、このフローチャートは、マイクロコンピュータ２２によって実行されるプログラムに規定された処理手順の一例である。
【００３９】
まず、図２に示すように監視カメラ１においてはトリガ信号処理（ステップＳ１）が行われる。トリガ信号処理（ステップＳ１）の詳細は図３に示すフローチャートである。
【００４０】
待機状態において制御部３２では、少なくともトリガ信号の入力を監視する監視機能が有効に働いており、検知センサ１００からのトリガ信号の入力を監視する（ステップＳ１０）。そしてトリガ信号を入力した場合（ステップＳ１０にてＹｅｓ）、制御部３２はタイマ機能による現在時刻（Ｔ０）を取得し、その時刻を内部メモリに記録しておく（ステップＳ１１）。また、このとき制御部３２はタイマ機能によるカウント動作を開始する。
【００４１】
そして制御部３２はカメラユニット１０を活性化し、カメラ駆動部１３に対して駆動信号を出力するとともに（ステップＳ１２）、カメラ撮影開始指令を出力する（ステップＳ１３）。この結果、カメラユニット１０はその撮影方向を所定方向に向け、逐次更新される連続的な画像の撮影を開始する。そして動体検知部３１が機能し、カメラユニット１０から順次得られる画像に対して動体検知処理を実行する（ステップＳ１４）。ここでの動体検知処理は、例えばカメラユニット１０から新しいフレームの画像を入力する度に行われる。
【００４２】
制御部３２は動体検知部３１において動体検知がなされたか否かを判断するととともに、カウント動作によって所定のカウント値がカウントアップされたか否かを判断することによってタイムアウトの判断を行う（ステップＳ１５）。そして、動体検知がなされておらず、かつ、タイムアウトしていない場合は、動体検知処理（ステップＳ１４）を繰り返す。これに対し、動体を検知した旨の通知を受信した場合はステップＳ１６に進み、タイムアウトになった場合はステップＳ２０に進む。
【００４３】
動体検知部３１から動体が検知された旨の通知を受信した場合には、制御部３２は現在時刻（Ｔ１）を取得し、その時刻を内部メモリに記録する（ステップＳ１６）。そして信号判定部３３が機能し、検知センサ１００からトリガ信号が入力してから動体が検知されるまでの時間（Ｔ１−Ｔ０）が所定範囲内であるか否かを判断する。
【００４４】
例えば、検知センサ１００がドアセンサとして設けられ、カメラユニット１０がそのドアから通じる廊下付近の画像を撮影するものである場合、ドアが開いてからある人物が廊下を通過するまでの時間は、正常な場合には一定の範囲内になることが多い。逆に、不審な侵入者である場合には、通常の歩行速度よりも速く歩いたり、若しくは遅く歩くことから、ドアが開いてからある人物が廊下を通過するまでの時間が、上記の一定範囲内にならないことが多い。
【００４５】
そこで、信号判定部３３は、トリガ信号を入力してから動体が検知されるまでの時間（Ｔ１−Ｔ０）が、所定範囲内である場合には、そのトリガ信号が異常を検知したものでなく、正常な状態を検知したものであると判断して、入力したトリガ信号を無効と判定する（ステップＳ１８）。逆に、トリガ信号を入力してから動体が検知されるまでの時間（Ｔ１−Ｔ０）が、所定範囲内でない場合には、そのトリガ信号が適切に異常を検知したものであると判断して、入力したトリガ信号を有効と判定する（ステップＳ２１）。
【００４６】
また、ステップＳ１５においてタイムアウトが検出された場合には、制御部３２はタイムアウトが異常と設定されるか否かを判断する（ステップＳ２０）。監視カメラ１には、予めタイムアウトを正常とするか異常とするかの設定がなされており、制御部３２はその設定状態に応じてステップＳ１８若しくはＳ２１に処理を進める。すなわち、タイムアウトが正常と設定されている場合にはステップＳ１８に進み、異常と設定されている場合にはステップＳ２１に進む。そしてタイムアウトに応じてトリガ信号が有効であるか無効であるが判定される（ステップＳ１８，Ｓ２０）。
【００４７】
以上でトリガ信号処理（図２のステップＳ１）が終了する。図２のフローチャートに戻り、次にステップＳ２の処理が行われる。ここではトリガ信号処理（ステップＳ１）において異常判定されたか否かが判断される。具体的には、検知センサ１００から入力したトリガ信号が有効であるか無効であるかが判断され、トリガ信号が無効であると判断された場合（すなわち、ステップＳ１８の処理が行われた場合）には、再びステップＳ１に戻り、検知センサ１００からのトリガ信号の入力を待機する状態に戻る。一方、トリガ信号が有効であると判断された場合（すなわち、ステップＳ２１の処理が行われた場合）には、ステップＳ３に進み、異常処理が実行される。
【００４８】
異常処理（ステップＳ３）の詳細は図４に示すフローチャートである。異常処理に進むと、制御部３２はバッファメモリ２５に格納されている画像及びカメラユニット１０からその後に得られる画像を一定時間記録するように、画像記録部２６に対して記録指令を送出する（ステップＳ３０）。これにより、画像記録部２６は動体が検知された時点の数秒間前からの画像を一定時間分記録することができる。この結果、画像記録部２６には、異常な侵入者等の画像が記録されることになる。
【００４９】
また、制御部３２は外部機器、すなわち照明器具２００を点灯させるべく、外部機器起動信号を外部機器駆動部２４に対して送出する（ステップＳ３１）。これにより外部機器駆動部２４はスイッチング機能を動作させて、照明器具２００の点灯を行い、異常な侵入者等に対する警告を行う。
【００５０】
この状態で制御部３２は一定時間待機する（ステップＳ３２）。すなわち、侵入者等への警告状態を一定時間継続させるのである。
【００５１】
そして一定時間が経過すると、制御部３２は、照明器具２００を消灯させるべく、外部機器駆動部２４に対して送出している外部機器起動信号を停止する（ステップＳ３３）。これにより外部機器駆動部２４は、照明器具２００の消灯を行って警告状態を終了し、全ての処理を終了する。
【００５２】
なお、図２のフローチャートにおいて、ステップＳ３の処理が終了した後、再びステップＳ１の処理に戻るようにして、監視動作を継続させるのがより好ましい。
【００５３】
上記のような処理がなされることにより、監視カメラ１においては、図５に示すように正常若しくは異常が判断される。すなわち、トリガ信号入力時（Ｔ０）から動体が検知された時刻（Ｔ１）までの時間（Ｔ１−Ｔ０）が所定の範囲（Ｔａ〜Ｔｂ）の間にある場合、検知センサ１００は正常な物体を検知したものとして正常であると判断される。したがって、この場合は異常処理はなされない。これに対し、トリガ信号入力時（Ｔ０）から動体が検知された時刻（Ｔ１）までの時間（Ｔ１−Ｔ０）が所定の範囲（Ｔａ〜Ｔｂ）の間にない場合、検知センサ１００は異常な物体を検知したものとして異常であると判断される。したがって、この場合は異常処理が実行される。
【００５４】
なお、図５において時刻Ｔｂがタイムアウトの時刻として設定されてもよいが、時刻Ｔｂ以降に別途タイムアウトの時刻が設定されてもよい。また、時刻Ｔｂをタイムアウト時刻として設定する場合において、タイムアウトが正常である旨の設定がなされている場合には、時刻Ｔｂ以降は正常な状態となる。
【００５５】
以上のように、本実施形態の監視カメラ１では、トリガ信号入力部２３にトリガ信号が入力されてから所定時間内に、動体検知部３１において画像の変化が検出されなかった場合、トリガ信号を有効なものと判定するように構成されている。また、トリガ信号が入力されてから所定時間内に、動体検知部３１において画像の変化が検出された場合には、トリガ信号を無効なものと判定するように構成されている。故に、外部に設けられる検知センサ１００が検知した異常は、トリガ信号が有効と判断されたときにのみ正確な検知結果であるとされ、トリガ信号が無効と判断されたときには、不正確な検知（いわゆる誤検知）であるとされる。
【００５６】
したがって、検知センサに検知されると全て異常と判断されるものではなく、検知センサの検知結果が正確であるか不正確であるかの判断がなされ、正確であった場合にのみ、警告等の所定の処理を行うことができるので、正常な状態であるにもかかわらず、異常な処理がなされることを防止することができる。
【００５７】
特に、トリガ信号が有効なものと判定された場合に限り、画像記録部２６に対してカメラユニット１０から得られる連続的な画像を記録させるように構成されているので、正常な画像が記録されることによって画像記録部２６の記憶容量が圧迫されることを防止することができ、異常が発生した画像のみを良好に記録できる。
【００５８】
また、トリガ信号が有効なものと判定された場合に、外部機器を動作させるための信号を送出するので、外部機器による警告等の適切な処置を行える。
【００５９】
＜２．第２の実施の形態＞
次に、第２の実施の形態について説明する。上記第１の実施の形態では、トリガ信号の有効／無効を判断した結果、特に異常が発生していないと判断された場合には特別な処理を行わない例を示した。本実施形態では、トリガ信号の有効／無効を判断した結果、特に異常が発生していないと判断された場合（すなわち正常であると判断された場合）に、異常な場合とは異なる処理を行う場合を例示する。
【００６０】
図６は第２の実施形態にかかる監視カメラ１ａの構成を示す図である。なお、図６では、第１の実施の形態で説明したものと同一の機能を有するものについては同一符号を付しており、ここではそれらについての説明は省略する。
【００６１】
本実施形態の監視カメラ１ａが、第１の実施の形態における監視カメラ１と異なる点は、外部機器としてスピーカ２１０が監視カメラ１ａに接続され、監視カメラ１ａの制御装置２０に、スピーカ２１０に接続される音声再生部２７と、音声データを記憶するメモリ２８とが設けられた点である。
【００６２】
メモリ２８には、例えば２種類の音声データが予め格納される。そのうち１つは、異常時に発生させるべき音声データであり、例えば「ここは立ち入り禁止です」等という内容の警告用音声が格納される。また、他の１つは、正常時に発生させるべき音声データであり、例えば「いらっしゃいませ」等という歓迎用等の音声が格納される。なお、メモリ２８に格納される音声データは２種類に限られるものではなく、さらに多くの種類のデータが格納されていてもよい。
【００６３】
本実施形態の監視カメラ１ａは、検知センサ１００からトリガ信号を入力した後、そのトリガ信号が有効であると判断されると、制御部３２からの指令に基づいて、画像記録部２６が連続的な画像の記録を行うとともに、音声再生部２７がメモリ２８から異常時用の音声データを取得し、それを再生することによってスピーカ２１０に音声信号を送出する。よって本実施形態では、異常発生時に画像記録とともに、音声による警告が行われる。
【００６４】
また、検知センサ１００からトリガ信号を入力した後、そのトリガ信号が無効であると判断されると、制御部３２からの指令に基づいて、音声再生部２７がメモリ２８から正常時用の音声データを取得し、それを再生することによってスピーカ２１０に音声信号を送出する。これによって本実施形態では、正常時には、異常時と異なる音声が発せられることになる。
【００６５】
次に、本実施形態における動作の詳細について説明する。図７乃至図９は、本実施形態における監視カメラ１ａの内部動作を示すフローチャートである。なお、このフローチャートもまた、マイクロコンピュータ２２によって実行されるプログラムに規定された処理手順の一例である。
【００６６】
まず、図７に示すように監視カメラ１ａにおいてはトリガ信号処理（ステップＳ１）が行われる。このトリガ信号処理（ステップＳ１）は、図２のステップＳ１と同様の処理であり、その詳細は図３に示したフローチャートである。
【００６７】
トリガ信号処理（図７のステップＳ１）が終了すると、次にステップＳ２の処理が行われる。ステップＳ２における異常判定されたか否かの判断処理もまた、第１の実施の形態にて説明した処理と同じである。そして異常判定された場合にはステップＳ４に進み、正常判定された場合にはステップＳ５に進む。
【００６８】
異常処理（ステップＳ４）の詳細は図８に示すフローチャートである。異常処理に進むと、制御部３２はバッファメモリ２５に格納されている画像及びカメラユニット１０からその後に得られる画像を一定時間記録するように、画像記録部２６に対して記録指令を送出する（ステップＳ４０）。これにより、画像記録部２６は動体が検知された時点の数秒間前からの画像を一定時間分記録することができる。この結果、画像記録部２６には、異常な侵入者等の画像が記録されることになる。
【００６９】
また、制御部３２は音声再生部２７に対して異常時用の音声データを再生させる指令を送出する（ステップＳ４１）。これにより、音声再生部２７はメモリ２８から異常時用の音声データを取得して再生し、スピーカ２１０から警告音声等を発生させる。
【００７０】
一方、正常処理（ステップＳ５）の詳細は図９に示すフローチャートである。正常処理に進むと、制御部３２は音声再生部２７に対して正常時用の音声データを再生させる指令を送出する（ステップＳ４５）。これにより、音声再生部２７はメモリ２８から正常時用の音声データを取得して再生し、スピーカ２１０から歓迎音声等を発生させる。
【００７１】
なお、図７のフローチャートにおいて、ステップＳ４，Ｓ５の処理が終了した後、再びステップＳ１の処理に戻るようにして、監視動作を継続させるのがより好ましい。
【００７２】
以上のように、本実施形態の監視カメラ１ａは、検知センサ１００から入力したトリガ信号が有効なものと判定されなかった場合、有効なものと判定された場合とは異なる処理を行うように構成されているので、異常な侵入者等に対して警告を行うだけでなく、正常な一般通行者等に対して必要な処理を行うことができる。例えば、監視カメラ１ａを含む構成が、店舗等に取り付けられている場合には、異常な侵入者等に対しては警告用の音声を発する一方、正常な来客者等に対しては歓迎用の音声を発生させることができる。
【００７３】
また、図６には特に示していないが、正常である旨の判断がなされた場合（トリガ信号が無効である判断がなされた場合）には、正常な来客者等に対して通路を案内するための案内灯を点灯させるようにしてもよい。この場合、異常である旨の判断がなされた場合には案内灯は点灯しないことになる。
【００７４】
＜３．第３の実施の形態＞
次に、第３の実施の形態について説明する。本実施形態においては、異常が発生した場合、インターネットや公衆電話回線網等のネットワークを介して、予め定められたユーザ端末に異常発生を示す情報の送信を行う例について説明する。
【００７５】
図１０は第３の実施形態にかかる監視カメラ１ｂの構成を示す図である。なお、図１０では、第１の実施の形態で説明したものと同一の機能を有するものについては同一符号を付しており、ここではそれらについての説明は省略する。
【００７６】
本実施形態の監視カメラ１ｂが、第１の実施の形態における監視カメラ１と異なる点は、ネットワーク９を介してユーザ端末と通信を行う、モデムやルータ等の通信機器２２０が外部機器として監視カメラ１ｂに接続されており、監視カメラ１ｂの制御装置２０に、通信機器２２０とデータの送受信を行うことによって、ユーザ端末とのデータ通信を行うデータ通信部２９が設けられた点である。
【００７７】
本実施形態の監視カメラ１ｂは、検知センサ１００からトリガ信号を入力した後、そのトリガ信号が有効であると判断されると、制御部３２からの指令に基づいて、画像記録部２６が連続的な画像の記録を行うとともに、照明器具２００を点灯させて監視領域若しくはその周辺を照明し、警告を行う。加えて、データ通信部２９が侵入者等を撮影した記録画像を画像記録部２６から取得し、制御部３２によって指定されるアドレスに記録画像を添付した電子メールを送出するようになっている。
【００７８】
次に、本実施形態における動作の詳細について説明する。本実施形態における監視カメラ１ｂの内部動作は、図２及び図３に示すフローチャートに基づいて行われる。すなわち、本実施形態においても、第１の実施の形態と同様にして、検知センサ１００から入力するトリガ信号が有効であるか無効であるかが判定され、それによって異常であるか正常であるかが判断される。そして、異常であると判断された場合に、異常処理（図２のステップＳ３）が行われる。本実施形態では、図２のステップＳ３における異常処理として、図１１に示すフローチャートが採用される。以下、図１１のフローチャートに基づいて説明する。
【００７９】
本実施形態では、異常処理に進むと、制御部３２が並列的処理を行う。具体的には、図１１に示す、ステップＳ５０，Ｓ５１による第１の処理と、ステップＳ６０，Ｓ６１，Ｓ６２による第２の処理とが並列的に実行される。
【００８０】
まず、第１の処理では、制御部３２はバッファメモリ２５に格納されている画像及びカメラユニット１０からその後に得られる画像を一定時間記録するように、画像記録部２６に対して記録指令を送出する（ステップＳ５０）。これにより、画像記録部２６には、動体が検知された時点の数秒間前からの画像が一定時間分記録される。
【００８１】
そして制御部３２は、データ通信部２９に対し、予め設定されたアドレスを指定してデータ送信指令を送出する（ステップＳ５１）。これにより、データ通信部２９は、画像記録部２６に格納された一定時間分の画像を取得し、それを例えば添付ファイル形式として、指定されたアドレスを宛先とする電子メールを作成する。データ通信部２９は、作成した電子メールを通信機器２２０に出力し、ネットワーク９を介して、例えば外出中のユーザが所持するユーザ端末に該電子メールの送信を行う。
【００８２】
一方、第２の処理では、制御部３２は照明器具２００を点灯させるべく、外部機器起動信号を外部機器駆動部２４に対して送出する（ステップＳ６０）。これにより外部機器駆動部２４はスイッチング機能を動作させて、照明器具２００の点灯を行い、異常な侵入者等に対する警告を行う。
【００８３】
この状態で制御部３２は一定時間待機する（ステップＳ６１）。すなわち、侵入者等への警告状態を一定時間継続させるのである。
【００８４】
そして一定時間が経過すると、制御部３２は、照明器具２００を消灯させるべく、外部機器駆動部２４に対して送出している外部機器起動信号を停止する（ステップＳ６２）。これにより外部機器駆動部２４は、照明器具２００の消灯を行って警告状態を終了する。
【００８５】
以上のようにして本実施形態における異常処理（ステップＳ３）が行われる。なお、図１１では、ユーザ端末への通知形態が電子メールによる場合を例示したが、これに限られるものではない。例えばファクシミリ送信であっても構わないし、また、その他の通知形態によって遠隔地のユーザに対して異常が発生したことを通知するものであればよい。
【００８６】
以上のように本実施形態の監視カメラ１ｂは、検知センサ１００からトリガ信号が入力されてから所定時間内に、カメラユニット１０から入力する画像において動体が検知されなかった場合、そのトリガ信号を有効なものと判定し、その旨をデータ通信部２９を介して外部機器（ユーザ端末）に送信させるようになっている。そのため、遠隔地からでも監視領域における異常の発生を速やかに把握することができる。
【００８７】
また、従来のように検知センサ１００がトリガ信号を発生させた場合、常に異常と判断するように構成すると、誤検知の場合を含めて、ユーザ端末には電子メール等の異常通知が多量に送信されることになるが、本実施形態では検知センサ１００からトリガ信号を受信した場合に、まずそのトリガ信号が有効であるか無効であるかを判定するようにしているので、誤検知の場合に異常通知が送信されることを抑制できるという利点がある。
【００８８】
さらに、本実施形態における制御装置２０は、ユーザ端末に異常通知を行う処理（第１の処理）と、侵入者等に警告を行うための処理（第２の処理）とを並列的に行うので、一方の処理にエラーが発生しても、他方の処理がそのエラーの影響を受けないようになっている。例えば、第１の処理と第２の処理とがシーケンシャルに行われる場合、電子メールによる異常通知の送信処理を失敗すると、照明器具２００が点灯せずに、侵入者等への警告を行うことができない可能性があるが、本実施形態のようにそれらを並列的に行うことで電子メール送信の成否にかかわらず、侵入者等に対して常に警告を行うことができる。
【００８９】
＜４．変形例＞
以上、本発明の実施の形態について説明したが、本発明は上述した内容のものに限定されるものではない。
【００９０】
例えば、上記説明においては、監視カメラ１，１ａ，１ｂにおいてカメラユニット１０と制御装置２０とが一体的に構成される場合を示した。しかし、それに限定されるものではなく、カメラユニット１０と制御装置２０とが別体として構成されるものであっても構わない。その場合、上述したフローチャートの処理は制御装置２０によって行われることになる。
【００９１】
また、検知センサ１００の一例としてドアセンサを挙げたが、検知センサ１００はドアセンサに限られるものではなく、他のセンサが用いられてもよい。例えば、マットセンサ、赤外線センサ、遠赤外線センサ等であってもよい。
【００９２】
また、上記説明においては、侵入者等に警告するための外部機器が、照明器具及びスピーカである場合を例示したが、これ以外の警告用外部機器が採用されても構わない。
【図面の簡単な説明】
【００９３】
【図１】第１の実施の形態にかかる監視カメラの構成を示す図である。
【図２】第１の実施の形態における監視カメラの内部動作を示すフローチャートである。
【図３】第１の実施の形態における監視カメラの内部動作を示すフローチャートである。
【図４】第１の実施の形態における監視カメラの内部動作を示すフローチャートである。
【図５】トリガ信号の有効／無効を判断するための概念を示す図である。
【図６】第２の実施の形態にかかる監視カメラの構成を示す図である。
【図７】第２の実施の形態における監視カメラの内部動作を示すフローチャートである。
【図８】第２の実施の形態における監視カメラの内部動作を示すフローチャートである。
【図９】第２の実施の形態における監視カメラの内部動作を示すフローチャートである。
【図１０】第３の実施の形態にかかる監視カメラの構成を示す図である。
【図１１】第３の実施の形態における異常処理のフローチャートである。
【符号の説明】
【００９４】
１，１ａ，１ｂ  監視カメラ
１０  カメラユニット
２０  制御装置
２３  トリガ信号入力部
２４  外部機器駆動部
２６  画像記録部（記録手段）
２７  音声再生部
２８  メモリ（記憶手段）
２９  データ通信部（通信手段）
３１  動体検知部（検出手段）
３２  制御部（制御手段）
３３  信号判定部（判定手段）
１００  検知センサ
【図１】
2005056224.tif 000003
【図２】
2005056224.tif 000004
【図３】
2005056224.tif 000005
【図４】
2005056224.tif 000006
【図５】
2005056224.tif 000007
【図６】
2005056224.tif 000008
【図７】
2005056224.tif 000009
【図８】
2005056224.tif 000010
【図９】
2005056224.tif 000011
【図１０】
2005056224.tif 000012
【図１１】
2005056224.tif 000013